【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
ネットワークに接続され、商取引に関する情報を保持する情報通信端末と、
前記ネットワークに接続され、前記商取引に関する情報を管理する第１の情報処理装置と、
前記ネットワークに接続され、前記情報通信端末のユーザである第１のユーザの信頼度に関する情報、および前記第１の情報処理装置のユーザである第２のユーザの信頼度に関する情報を管理する第２の情報処理装置と
を備える情報処理システムであって、
前記情報通信端末は、
前記第１のユーザの信頼度に関する情報を記憶する第１の記憶手段と、
前記第１の記憶手段により記憶された前記第１のユーザの信頼度に関する情報を前記第１の情報処理装置に提供する第１の提供手段と、
前記第２の情報処理装置より前記第２のユーザの信頼度に関する情報を取得する第１の取得手段と、
前記第１の情報処理装置より前記商取引に関する情報を取得する第２の取得手段と、
前記第１の記憶手段により記憶された前記第１のユーザの信頼度、および前記第２の取得手段により取得された前記商取引に関する情報を、前記第２の情報処理装置に供給する第１の供給手段と、
前記第２の情報処理装置より更新された前記第１のユーザの信頼度に関する情報を取得する第３の取得手段と
を備え、
前記第１の情報処理装置は、
前記情報通信端末より前記第１のユーザの信頼度に関する情報を取得する第４の取得手段と、
前記商取引に関する情報を前記情報通信端末に供給する第２の供給手段と
を備え、
前記第２の情報処理装置は、
前記第２のユーザの信頼度に関する情報を記憶する第２の記憶手段と、
前記第２の記憶手段に記憶された前記第２のユーザの信頼度に関する情報を前記情報通信端末に提供する第２の提供手段と、
前記情報通信端末より前記第１のユーザの信頼度に関する情報、および、前記商取引に関する情報を取得する第５の取得手段と、
前記第５の取得手段により取得された前記商取引に関する情報に基づいて、前記第５の取得手段により取得された前記第１のユーザの信頼度に関する情報、および、前記第２の記憶手段により記憶された前記第２のユーザの信頼度に関する情報を更新する更新手段と、
前記更新手段により更新された前記第１のユーザの信頼度に関する情報を前記情報通信端末に供給する第３の供給手段と
を備えることを特徴とする情報処理システム。
【請求項２】
ネットワークに接続され、情報処理装置と通信を行う情報通信端末であって、
商品購入の際に、前記情報処理装置より、ユーザの認証に用いられる商取引に関する情報を取得する第１の取得手段と、
前記第１の取得手段により取得された前記商取引に関する情報を記憶する記憶手段と、
商品受け取りの際に、前記記憶手段により記憶された前記商取引に関する情報を前記情報処理装置に供給する供給手段と、
前記商取引に関する情報の編集に必要な鍵情報を取得する第２の取得手段と、
前記第２の取得手段により取得された前記鍵情報を用いて、前記記憶手段により記憶された前記商取引に関する情報を削除する削除手段と
を備えることを特徴とする情報通信端末。
【請求項３】
ネットワークに接続され、情報処理装置と通信を行う情報通信端末であって、
ユーザのそれまでの商取引結果に基づいて決定される、前記ユーザの信頼度に関する情報を記憶する第１の記憶手段と、
前記第１の記憶手段により記憶された前記ユーザの信頼度に関する情報を前記情報処理装置に提供する提供手段と、
商品購入の際に、前記情報処理装置より、ユーザの認証に用いられる商取引に関する情報を取得する第１の取得手段と、
前記第１の取得手段により取得された前記商取引に関する情報を記憶する第２の記憶手段と、
商品受け取りの際に、前記記憶手段により記憶された前記商取引に関する情報を前記情報処理装置に供給する供給手段と
を備えることを特徴とする情報通信端末。
【請求項４】
前記ユーザの信頼度に関する情報の編集に必要な鍵情報を取得する第２の取得手段をさらに備え、
前記第１の記憶手段は、前記第２の取得手段により取得された前記鍵情報を用いて、前記ユーザの信頼度に関する情報を記憶する
ことを特徴とする請求項３に記載の情報通信端末。
【請求項５】
前記ユーザの信頼度に関する情報の提供を許可する暗証番号を入力する暗証番号入力手段と、
前記暗証番号入力手段により入力された前記暗証番号を認証する認証手段と
をさらに備え、
前記提供手段は、前記認証手段による前記認証により前記暗証番号が認証された場合、前記ユーザの信頼度に関する情報を提供する
ことを特徴とする請求項３に記載の情報通信端末。
【請求項６】
ネットワークに接続され、第１の情報処理装置と通信を行う情報通信端末であって、
商品購入の際に、前記第１の情報処理装置より、ユーザの認証に用いられる商取引に関する情報を取得する第１の取得手段と、
前記第１の取得手段により取得された前記商取引に関する情報を記憶する記憶手段と、
商品受け取りの際に、前記記憶手段により記憶された前記商取引に関する情報を前記第１の情報処理装置に供給する第１の供給手段と、
前記第１の情報処理装置とは別の、第２の情報処理装置より、前記第１の情報処理装置のユーザである、前記商取引の取引相手の信頼度に関する情報を取得する第２の取得手段と、
前記第２の取得手段により取得された前記取引相手の信頼度に関する情報を表示する表示手段と
を備えることを特徴とする情報通信端末。
【請求項７】
前記第１の情報処理装置より、前記商取引の取引相手の信頼度を決定するための、前記第１の情報処理装置に関する情報を取得する第３の取得手段と、
前記第３の取得手段により取得された前記第１の情報処理装置に関する情報を前記第２の情報処理装置に供給する第２の供給手段と
を備え、
前記記憶手段は、前記第３の取得手段により取得された前記第１の情報処理装置に関する情報をさらに記憶する
ことを特徴とする請求項６に記載の情報通信端末。
【請求項８】
前記第１の情報処理装置に関する情報の編集に必要な鍵情報を取得する第４の取得手段と、
前記第４の取得手段により取得された前記鍵情報を用いて、前記記憶手段により記憶された前記第１の情報処理装置に関する情報を削除する削除手段と
を備えることを特徴とする請求項７に記載の情報通信端末。
【請求項９】
ネットワークに接続され、商取引に関する情報を管理する情報処理装置であって、
前記商取引の取引相手の情報通信端末より、前記取引相手の信頼度に関する情報を取得する第１の取得手段と、
商品販売の際に、前記商取引に関する情報を生成する生成手段と、
前記生成手段により生成された前記商取引に関する情報を前記情報通信端末に供給する第１の供給手段と、
前記生成手段により生成された前記商取引に関する情報を記憶する記憶手段と、
商品引き渡しの際に、前記情報通信端末より前記商取引に関する情報を取得する第２の取得手段と、
前記記憶手段により記憶された前記商取引に関する情報を用いて、前記第２の取得手段により取得された前記商取引に関する情報を認証する認証手段と、
ユーザの信頼度に関する情報を生成するための前記情報処理装置に関する情報を、前記認証手段により認証された前記情報通信端末に供給する第２の供給手段と
を備えることを特徴とする情報処理装置。
【請求項１０】
ネットワークに接続され、商取引に関する情報を管理する情報処理装置の情報処理方法であって、
前記商取引の取引相手の情報通信端末より供給された、前記取引相手の信頼度に関する情報の取得を制御する第１の取得制御ステップと、
商品販売の際に、前記商取引に関する情報を生成する生成ステップと、
前記生成ステップの処理により生成された前記商取引に関する情報の、前記情報通信端末への供給を制御する第１の供給制御ステップと、
前記生成ステップの処理により生成された前記商取引に関する情報の記憶を制御する記憶制御ステップと、
商品引き渡しの際に、前記情報通信端末より供給された前記商取引に関する情報の取得を制御する第２の取得制御ステップと、
前記記憶制御ステップの処理により記憶が制御された前記商取引に関する情報を用いて、前記第２の取得制御ステップの処理により取得が制御された前記商取引に関する情報を認証する認証ステップと、
ユーザの信頼度に関する情報を生成するための前記情報処理装置に関する情報の、前記認証ステップの処理により認証された前記情報通信端末への供給を制御する第２の供給制御ステップと
を含むことを特徴とする情報処理方法。
【請求項１１】
ネットワークに接続され、商取引に関する情報を管理する情報処理装置用のプログラムであって、
前記商取引の取引相手の情報通信端末より供給された、前記取引相手の信頼度に関する情報の取得を制御する第１の取得制御ステップと、
商品販売の際に、前記商取引に関する情報を生成する生成ステップと、
前記生成ステップの処理により生成された前記商取引に関する情報の、前記情報通信端末への供給を制御する第１の供給制御ステップと、
前記生成ステップの処理により生成された前記商取引に関する情報の記憶を制御する記憶制御ステップと、
商品引き渡しの際に、前記情報通信端末より供給された前記商取引に関する情報の取得を制御する第２の取得制御ステップと、
前記記憶制御ステップの処理により記憶が制御された前記商取引に関する情報を用いて、前記第２の取得制御ステップの処理により取得が制御された前記商取引に関する情報を認証する認証ステップと、
ユーザの信頼度に関する情報を生成するための前記情報処理装置に関する情報の、前記認証ステップの処理により認証された前記情報通信端末への供給を制御する第２の供給制御ステップと
を含むことを特徴とするコンピュータが読み取り可能なプログラムが記録されている記録媒体。
【請求項１２】
ネットワークに接続され、商取引に関する情報を管理する情報処理装置を制御するコンピュータが実行可能なプログラムであって、
前記商取引の取引相手の情報通信端末より供給された、前記取引相手の信頼度に関する情報の取得を制御する第１の取得制御ステップと、
商品販売の際に、前記商取引に関する情報を生成する生成ステップと、
前記生成ステップの処理により生成された前記商取引に関する情報の、前記情報通信端末への供給を制御する第１の供給制御ステップと、
前記生成ステップの処理により生成された前記商取引に関する情報の記憶を制御する記憶制御ステップと、
商品引き渡しの際に、前記情報通信端末より供給された前記商取引に関する情報の取得を制御する第２の取得制御ステップと、
前記記憶制御ステップの処理により記憶が制御された前記商取引に関する情報を用いて、前記第２の取得制御ステップの処理により取得が制御された前記商取引に関する情報を認証する認証ステップと、
ユーザの信頼度に関する情報を生成するための前記情報処理装置に関する情報の、前記認証ステップの処理により認証された前記情報通信端末への供給を制御する第２の供給制御ステップと
を含むことを特徴とするプログラム。
【請求項１３】
ネットワークに接続され、情報通信端末のユーザである第１のユーザの信頼度に関する情報、および他の情報処理装置のユーザである第２のユーザの信頼度に関する情報を管理する情報処理装置であって、
前記第２のユーザの信頼度に関する情報を記憶する記憶手段と、
前記記憶手段により記憶された前記第２のユーザの信頼度に関する情報を前記情報通信端末に提供する提供手段と、
前記情報通信端末より前記第１のユーザの信頼度に関する情報、および、商取引に関する情報を取得する取得手段と、
前記取得手段により取得された前記商取引に関する情報に基づいて、前記取得手段により取得された前記第１のユーザの信頼度に関する情報、および、前記記憶手段により記憶された前記第２のユーザの信頼度に関する情報を更新する更新手段と、
前記更新手段により更新された前記第１のユーザの信頼度に関する情報を前記情報通信端末に供給する供給手段と
を備えることを特徴とする情報処理装置。
【請求項１４】
ネットワークに接続され、情報通信端末のユーザである第１のユーザの信頼度に関する情報、および他の情報処理装置のユーザである第２のユーザの信頼度に関する情報を管理する情報処理装置の情報処理方法であって、
前記第２のユーザの信頼度に関する情報の記憶を制御する記憶制御ステップと、
前記記憶制御ステップの処理により記憶が制御された前記第２のユーザの信頼度に関する情報の、前記情報通信端末への提供を制御する提供制御ステップと、
前記情報通信端末より供給された、前記第１のユーザの信頼度に関する情報、および、商取引に関する情報の取得を制御する取得制御ステップと、
前記取得制御ステップの処理により取得が制御された前記商取引に関する情報に基づいて、前記取得制御ステップの処理により取得が制御された前記第１のユーザの信頼度に関する情報、および、前記記憶制御ステップの処理により記憶が制御された前記第２のユーザの信頼度に関する情報を更新する更新ステップと、
前記更新ステップの処理により更新された前記第１のユーザの信頼度に関する情報の、前記情報通信端末への供給を制御する供給制御ステップと
を含むことを特徴とする情報処理方法。
【請求項１５】
ネットワークに接続され、情報通信端末のユーザである第１のユーザの信頼度に関する情報、および他の情報処理装置のユーザである第２のユーザの信頼度に関する情報を管理する情報処理装置用のプログラムであって、
前記第２のユーザの信頼度に関する情報の記憶を制御する記憶制御ステップと、
前記記憶制御ステップの処理により記憶が制御された前記第２のユーザの信頼度に関する情報の、前記情報通信端末への提供を制御する提供制御ステップと、
前記情報通信端末より供給された、前記第１のユーザの信頼度に関する情報、および、商取引に関する情報の取得を制御する取得制御ステップと、
前記取得制御ステップの処理により取得が制御された前記商取引に関する情報に基づいて、前記取得制御ステップの処理により取得が制御された前記第１のユーザの信頼度に関する情報、および、前記記憶制御ステップの処理により記憶が制御された前記第２のユーザの信頼度に関する情報を更新する更新ステップと、
前記更新ステップの処理により更新された前記第１のユーザの信頼度に関する情報の、前記情報通信端末への供給を制御する供給制御ステップと
を含むことを特徴とするコンピュータが読み取り可能なプログラムが記録されている記録媒体。
【請求項１６】
ネットワークに接続され、情報通信端末のユーザである第１のユーザの信頼度に関する情報、および他の情報処理装置のユーザである第２のユーザの信頼度に関する情報を管理する情報処理装置を制御するコンピュータが実行可能なプログラムであって、
前記第２のユーザの信頼度に関する情報の記憶を制御する記憶制御ステップと、
前記記憶制御ステップの処理により記憶が制御された前記第２のユーザの信頼度に関する情報の、前記情報通信端末への提供を制御する提供制御ステップと、
前記情報通信端末より供給された、前記第１のユーザの信頼度に関する情報、および、商取引に関する情報の取得を制御する取得制御ステップと、
前記取得制御ステップの処理により取得が制御された前記商取引に関する情報に基づいて、前記取得制御ステップの処理により取得が制御された前記第１のユーザの信頼度に関する情報、および、前記記憶制御ステップの処理により記憶が制御された前記第２のユーザの信頼度に関する情報を更新する更新ステップと、
前記更新ステップの処理により更新された前記第１のユーザの信頼度に関する情報の、前記情報通信端末への供給を制御する供給制御ステップと
を含むことを特徴とするプログラム。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
【課題を解決するための手段】
本発明の情報処理システムは、ネットワークに接続され、商取引に関する情報を保持する情報通信端末と、ネットワークに接続され、商取引に関する情報を管理する第１の情報処理装置と、ネットワークに接続され、情報通信端末のユーザである第１のユーザの信頼度に関する情報、および第１の情報処理装置のユーザである第２のユーザの信頼度に関する情報を管理する第２の情報処理装置とを備える情報処理システムであって、情報通信端末は、第１のユーザの信頼度に関する情報を記憶する第１の記憶手段と、第１の記憶手段により記憶された第１のユーザの信頼度に関する情報を第１の情報処理装置に提供する第１の提供手段と、第２の情報処理装置より第２のユーザの信頼度に関する情報を取得する第１の取得手段と、第１の情報処理装置より商取引に関する情報を取得する第２の取得手段と、第１の記憶手段により記憶された第１のユーザの信頼度、および第２の取得手段により取得された商取引に関する情報を、第２の情報処理装置に供給する第１の供給手段と、第２の情報処理装置より更新された第１のユーザの信頼度に関する情報を取得する第３の取得手段とを備え、第１の情報処理装置は、情報通信端末より第１のユーザの信頼度に関する情報を取得する第４の取得手段と、商取引に関する情報を情報通信端末に供給する第２の供給手段とを備え、第２の情報処理装置は、第２のユーザの信頼度に関する情報を記憶する第２の記憶手段と、第２の記憶手段に記憶された第２のユーザの信頼度に関する情報を情報通信端末に提供する第２の提供手段と、情報通信端末より第１のユーザの信頼度に関する情報、および、商取引に関する情報を取得する第５の取得手段と、第５の取得手段により取得された商取引に関する情報に基づいて、第５の取得手段により取得された第１のユーザの信頼度に関する情報、および、第２の記憶手段により記憶された第２のユーザの信頼度に関する情報を更新する更新手段と、更新手段により更新された第１のユーザの信頼度に関する情報を情報通信端末に供給する第３の供給手段とを備えることを特徴とする。
【手続補正４】
【補正対象書類名】明細書
【補正対象項目名】０００８
【補正方法】変更
【補正の内容】
【０００８】
本発明の第１の情報通信端末は、商品購入の際に、情報処理装置より、ユーザの認証に用いられる商取引に関する情報を取得する第１の取得手段と、第１の取得手段により取得された商取引に関する情報を記憶する記憶手段と、商品受け取りの際に、記憶手段により記憶された商取引に関する情報を情報処理装置に供給する供給手段と、商取引に関する情報の編集に必要な鍵情報を取得する第２の取得手段と、第２の取得手段により取得された鍵情報を用いて、記憶手段により記憶された商取引に関する情報を削除する削除手段とを備えることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明の第２の情報通信端末は、ユーザのそれまでの商取引結果に基づいて決定される、ユーザの信頼度に関する情報を記憶する第１の記憶手段と、第１の記憶手段により記憶されたユーザの信頼度に関する情報を情報処理装置に提供する提供手段と、商品購入の際に、情報処理装置より、ユーザの認証に用いられる商取引に関する情報を取得する第１の取得手段と、第１の取得手段により取得された商取引に関する情報を記憶する第２の記憶手段と、商品受け取りの際に、記憶手段により記憶された商取引に関する情報を情報処理装置に供給する供給手段とを備えることを特徴とする。
【手続補正１０】
【補正対象書類名】明細書
【補正対象項目名】００１４
【補正方法】変更
【補正の内容】
【００１４】
前記ユーザの信頼度に関する情報の編集に必要な鍵情報を取得する第２の取得手段をさらに備え、第１の記憶手段は、第２の取得手段により取得された鍵情報を用いて、ユーザの信頼度に関する情報を記憶するようにすることができる。
【手続補正１１】
【補正対象書類名】明細書
【補正対象項目名】００１６
【補正方法】変更
【補正の内容】
【００１６】
本発明の第３の情報通信端末は、商品購入の際に、第１の情報処理装置より、ユーザの認証に用いられる商取引に関する情報を取得する第１の取得手段と、第１の取得手段により取得された商取引に関する情報を記憶する記憶手段と、商品受け取りの際に、記憶手段により記憶された商取引に関する情報を第１の情報処理装置に供給する第１の供給手段と、第１の情報処理装置とは別の、第２の情報処理装置より、第１の情報処理装置のユーザである、商取引の取引相手の信頼度に関する情報を取得する第２の取得手段と、第２の取得手段により取得された取引相手の信頼度に関する情報を表示する表示手段とを備えることを特徴とする。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２４
【補正方法】変更
【補正の内容】
【００２４】
本発明の第１の記録媒体のプログラムは、商取引の取引相手の情報通信端末より供給された、取引相手の信頼度に関する情報の取得を制御する第１の取得制御ステップと、商品販売の際に、商取引に関する情報を生成する生成ステップと、生成ステップの処理により生成された商取引に関する情報の、情報通信端末への供給を制御する第１の供給制御ステップと、生成ステップの処理により生成された商取引に関する情報の記憶を制御する記憶制御ステップと、商品引き渡しの際に、情報通信端末より供給された商取引に関する情報の取得を制御する第２の取得制御ステップと、記憶制御ステップの処理により記憶が制御された商取引に関する情報を用いて、第２の取得制御ステップの処理により取得が制御された商取引に関する情報を認証する認証ステップと、ユーザの信頼度に関する情報を生成するための情報処理装置に関する情報の、認証ステップの処理により認証された情報通信端末への供給を制御する第２の供給制御ステップとを含むことを特徴とする。
【手続補正１６】
【補正対象書類名】明細書
【補正対象項目名】００２５
【補正方法】変更
【補正の内容】
【００２５】
本発明の第１のプログラムは、商取引の取引相手の情報通信端末より供給された、取引相手の信頼度に関する情報の取得を制御する第１の取得制御ステップと、商品販売の際に、商取引に関する情報を生成する生成ステップと、生成ステップの処理により生成された商取引に関する情報の、情報通信端末への供給を制御する第１の供給制御ステップと、生成ステップの処理により生成された商取引に関する情報の記憶を制御する記憶制御ステップと、商品引き渡しの際に、情報通信端末より供給された商取引に関する情報の取得を制御する第２の取得制御ステップと、記憶制御ステップの処理により記憶が制御された商取引に関する情報を用いて、第２の取得制御ステップの処理により取得が制御された商取引に関する情報を認証する認証ステップと、ユーザの信頼度に関する情報を生成するための情報処理装置に関する情報の、認証ステップの処理により認証された情報通信端末への供給を制御する第２の供給制御ステップとをコンピュータに実現させることを特徴とする。
【手続補正１７】
【補正対象書類名】明細書
【補正対象項目名】００２８
【補正方法】変更
【補正の内容】
【００２８】
本発明の第２の記録媒体のプログラムは、第２のユーザの信頼度に関する情報の記憶を制御する記憶制御ステップと、記憶制御ステップの処理により記憶が制御された第２のユーザの信頼度に関する情報の、情報通信端末への提供を制御する提供制御ステップと、情報通信端末より供給された、第１のユーザの信頼度に関する情報、および、商取引に関する情報の取得を制御する取得制御ステップと、取得制御ステップの処理により取得が制御された商取引に関する情報に基づいて、取得制御ステップの処理により取得が制御された第１のユーザの信頼度に関する情報、および、記憶制御ステップの処理により記憶が制御された第２のユーザの信頼度に関する情報を更新する更新ステップと、更新ステップの処理により更新された第１のユーザの信頼度に関する情報の、情報通信端末への供給を制御する供給制御ステップとを含むことを特徴とする。
【手続補正１８】
【補正対象書類名】明細書
【補正対象項目名】００２９
【補正方法】変更
【補正の内容】
【００２９】
本発明の第２のプログラムは、第２のユーザの信頼度に関する情報の記憶を制御する記憶制御ステップと、記憶制御ステップの処理により記憶が制御された第２のユーザの信頼度に関する情報の、情報通信端末への提供を制御する提供制御ステップと、情報通信端末より供給された、第１のユーザの信頼度に関する情報、および、商取引に関する情報の取得を制御する取得制御ステップと、取得制御ステップの処理により取得が制御された商取引に関する情報に基づいて、取得制御ステップの処理により取得が制御された第１のユーザの信頼度に関する情報、および、記憶制御ステップの処理により記憶が制御された第２のユーザの信頼度に関する情報を更新する更新ステップと、更新ステップの処理により更新された第１のユーザの信頼度に関する情報の、情報通信端末への供給を制御する供給制御ステップとをコンピュータに実現させることを特徴とする。
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】変更
【補正の内容】
【００３１】
本発明の情報処理システムにおいては、ネットワークに接続され、商取引に関する情報を保持する情報通信端末と、ネットワークに接続され、商取引に関する情報を管理する第１の情報処理装置と、ネットワークに接続され、情報通信端末のユーザである第１のユーザの信頼度に関する情報、および第１の情報処理装置のユーザである第２のユーザの信頼度に関する情報を管理する第２の情報処理装置とが備えられ、情報通信端末においては、第１のユーザの信頼度に関する情報が記憶され、その記憶された第１のユーザの信頼度に関する情報が第１の情報処理装置に提供され、第２の情報処理装置より第２のユーザの信頼度に関する情報が取得され、第１の情報処理装置より商取引に関する情報が取得され、記憶された第１のユーザの信頼度、および取得された商取引に関する情報が、第２の情報処理装置に供給され、第２の情報処理装置より更新された第１のユーザの信頼度に関する情報が取得され、第１の情報処理装置においては、情報通信端末より第１のユーザの信頼度に関する情報が取得され、商取引に関する情報が情報通信端末に供給され、第２の情報処理装置においては、第２のユーザの信頼度に関する情報が記憶され、記憶された第２のユーザの信頼度に関する情報が情報通信端末に提供され、情報通信端末より第１のユーザの信頼度に関する情報、および、商取引に関する情報が取得され、取得された商取引に関する情報に基づいて、第１のユーザの信頼度に関する情報、および、第２のユーザの信頼度に関する情報が更新され、更新された第１のユーザの信頼度に関する情報が情報通信端末に供給される。
【手続補正２１】
【補正対象書類名】明細書
【補正対象項目名】００３２
【補正方法】変更
【補正の内容】
【００３２】
本発明の第１の情報通信端末においては、商品購入の際に、情報処理装置より、ユーザの認証に用いられる商取引に関する情報が取得され、その取得された商取引に関する情報が記憶され、商品受け取りの際に、記憶された商取引に関する情報が情報処理装置に供給され、商取引に関する情報の編集に必要な鍵情報が取得され、その取得された鍵情報を用いて、記憶された商取引に関する情報が削除される。
本発明の第２の情報通信端末においては、ユーザのそれまでの商取引結果に基づいて決定される、ユーザの信頼度に関する情報が記憶され、その記憶されたユーザの信頼度に関する情報が情報処理装置に提供され、商品購入の際に、情報処理装置より、ユーザの認証に用いられる商取引に関する情報が取得され、その取得された商取引に関する情報が記憶され、商品受け取りの際に、その記憶された商取引に関する情報が情報処理装置に供給される。
本発明の第３の情報通信端末においては、商品購入の際に、第１の情報処理装置より、ユーザの認証に用いられる商取引に関する情報が取得され、その取得された商取引に関する情報が記憶され、商品受け取りの際に、記憶された商取引に関する情報が第１の情報処理装置に供給され、第１の情報処理装置とは別の、第２の情報処理装置より、第１の情報処理装置のユーザである、商取引の取引相手の信頼度に関する情報が取得され、その取得された取引相手の信頼度に関する情報が表示される。
【手続補正２２】
【補正対象書類名】明細書
【補正対象項目名】００３３
【補正方法】変更
【補正の内容】
【００３３】
本発明の第１の情報処理装置および方法、並びに第１のプログラムにおいては、商取引の取引相手の情報通信端末より、取引相手の信頼度に関する情報が取得され、商品販売の際に、商取引に関する情報が生成され、その生成された商取引に関する情報が情報通信端末に供給されるとともに記憶され、商品引き渡しの際に、情報通信端末より商取引に関する情報が取得され、記憶された商取引に関する情報を用いて、取得された商取引に関する情報が認証され、ユーザの信頼度に関する情報を生成するための情報処理装置に関する情報が、認証された情報通信端末に供給される。
【手続補正２３】
【補正対象書類名】明細書
【補正対象項目名】００３４
【補正方法】変更
【補正の内容】
【００３４】
本発明の第２の情報処理装置および方法、並びに第２のプログラムにおいては、第２のユーザの信頼度に関する情報が記憶され、その記憶された第２のユーザの信頼度に関する情報が情報通信端末に提供され、情報通信端末より第１のユーザの信頼度に関する情報、および、商取引に関する情報が取得され、その取得された商取引に関する情報に基づいて、第１のユーザの信頼度に関する情報、および、第２のユーザの信頼度に関する情報が更新され、その更新された第１のユーザの信頼度に関する情報が情報通信端末に供給される。
【手続補正２４】
【補正対象書類名】明細書
【補正対象項目名】０２０２
【補正方法】変更
【補正の内容】
【０２０２】
上述したように商品を購入した携帯電話機１１のユーザは、購入した商品を受け取るために、最寄りの、或いは、購入店２０に予め指定された受取店３０に行く。そして、ユーザは、携帯電話機１１を受取店３０に設置された受取店サーバ３１のICカードリーダ／ライタ２７５の近傍に位置させ、携帯電話機１１に内蔵される非接触ICカード１４６をICカードリーダ／ライタ２７５に近接させる。
【手続補正２５】
【補正対象書類名】明細書
【補正対象項目名】０４５４
【補正方法】削除
【補正の内容】
【手続補正２６】
【補正対象書類名】明細書
【補正対象項目名】０４５５
【補正方法】変更
【補正の内容】
【０４５５】
【発明の効果】
以上のように、本発明の第１の情報処理システムによれば、電子商取引を行うことができる。特に、取引相手の信用度を事前に知ることができ、より安全な電子商取引を容易に行うことができる。
【手続補正２７】
【補正対象書類名】明細書
【補正対象項目名】０４５６
【補正方法】変更
【補正の内容】
【０４５６】
また、本発明の情報通信端末によれば、より安全な電子商取引を容易に行うことができる。特に、商品を購入したことを示す購入情報を保持することができる。また、商取引に関する情報の編集に必要な鍵情報を取得し、その鍵情報を用いて、商取引に関する情報を削除することもできる。さらに、ユーザのそれまでの商取引結果に基づいて決定される、ユーザの信頼度に関する情報を記憶し、そのユーザの信頼度に関する情報を情報処理装置に提供することができる。また、商取引の取引相手の信頼度に関する情報を取得して表示することもできる。